(57)【要約】  プラットフォームの監視に対して方法と装置が提示されている。前記プラットフォームの監視からの情報は、前記プラットフォームに関連するセンサーネットワーク及び任意の数のシステムから受信される。前記情報から任意の数の観測結果が形成される。プロファイルは、該プロファイルが前記プラットフォームの監視に使用される複数の観測結果から作成される。【選択図】図１
2013507611.tif 000002
【特許請求の範囲】
【請求項１】
プラットフォームに関連するセンサーネットワークであって、該センサーネットワークが該プラットフォームの健全性を監視するように構成されたセンサーネットワークと、
プラットフォームに関連する任意の数のシステムであって、該任意の数のシステム及び前記センサーネットワークが前記プラットフォームに関する情報を提供するように構成された任意の数のシステムと、
前記センサーネットワーク及び前記任意の数のシステムに接続されたコンピュータシステムであって、該コンピュータシステムが前記情報、前記情報のプロセスを受信して、前記情報から複数の観測結果を形成するように構成されており、前記プラットフォームの健全性状態を識別するために前記現在のプロファイルが使用される、前記複数の観測結果及び前記情報から現在のプロファイルを作成するコンピュータシステムと
を備えた、装置。
【請求項２】
前記コンピュータシステムが前記プラットフォームまで遠く離れた場所に配置され、前記プラットフォーム上の別のコンピュータシステムを介して、前記センサーネットワーク及び前記任意の数のシステムに接続されている、請求項１に記載の装置。
【請求項３】
前記コンピュータシステムが  前記プラットフォームの任意の数のシステムからの情報の少なくとも一部を受信すること；前記現在のプロファイルを形成するために任意の数のグループが作成される観測結果間の類似性に基づく複数の観測結果内での観測結果を分類すること；前記情報の中で任意の数の情報の断片を識別すること；複数の観測結果を形成するために任意の数の情報の断片の中の各情報の断片から観測結果を作成すること；前記連想メモリに関する前記現在のプロファイルを形成するために前記コンピュータシステム内の連想メモリに前記複数の観測結果を入力すること；任意の数の既知のプロファイルの中に一つの既知のプロファイルを作成するためにプラットフォームの既知の健全性状態にある間に得られたトレーニング情報を受信すること；前記プラットフォームの前記健全性状態の潜在的原因を特定するため整備情報及び現在のプロファイルを使用すること；及び前記プラットフォームの健全性状態に基づいて選択的に警告を発すること、の中の少なくとも一つから選択された任意の数の操作を実施するように構成されている、請求項１に記載の装置。
【請求項４】
前記任意の数のシステムであって、少なくとも一つのナビゲーションシステム、航空機用航空電子工学機器、環境制御システム、表面制御システム、飛行制御システム、駆動システム、着陸システム、及び推進システムを含む任意の数のシステムを
さらに備えた、請求項１に記載の装置。
【請求項５】
前記コンピュータシステムが、該コンピュータシステム内の連想メモリを解析することにより、前記複数の観測結果から前記現在のプロファイルを作成する、請求項３記載の装置。
【請求項６】
前記トレーニング情報が前記プラットフォームに関して過去に収集された情報、前記プラットフォームに関する整備情報、及び前記プラットフォームに関して過去に収集された前記情報のタイムスタンプを含む、請求項３に記載の装置。
【請求項７】
前記現在のプロファイルの作成において、前記コンピュータシステムが、該現在のプロファイルを作成するため前記プラットフォームに対して実行された任意の数の整備イベントに基づいて、前記複数の観測結果の一部を選択するように前記コンピュータシステムがさらに構成されている、請求項１に記載の装置。
【請求項８】
前記コンピュータシステムがメタデータを前記情報に関連づけるようにさらに構成されている、請求項７に記載の装置。
【請求項９】
前記コンピュータシステムが前記任意の数の整備イベント及び前記メタデータを使用して、複数の観測結果の一部を選択するようにさらに構成されている、請求項８に記載の装置。
【請求項１０】
前記メタデータが情報の断片に対する少なくとも一つのタイムスタンプ及び該情報の断片の情報源の識別子を含む、請求項８に記載の方法。
【請求項１１】
前記既知の健全性状態に関する前記トレーニング情報が、選択日前の情報、選択日後の情報、及び期間中の情報の一つから受信した前記情報を含む、請求項３に記載の装置。
【請求項１２】
前記情報の一部が前記任意の数のシステムの整備データベースから受信される、請求項１に記載の装置。
【請求項１３】
前記情報が少なくとも一つのデータ、指令、及びメッセージを含む、請求項１に記載の装置。
【請求項１４】
プラットフォームであって、可動プラットフォーム、固定プラットフォーム、陸上構造物、水上構造物、宇宙構造物、航空機、水上艦、タンク、人員運搬車、列車、宇宙船、宇宙ステーション、衛星、潜水艦、自動車、発電所、橋、ダム、風力タービン、製造システム、ビル、翼、スタビライザー、エンジン、油圧システム、動力伝達ギヤボックス、及びシャフトの一つから選択されるプラットフォームをさらに備えた、請求項１に記載の装置。
【請求項１５】
プラットフォームの健全性を監視するシステムであって、
前記プラットフォームに関連したセンサーネットワークと、
前記プラットフォームに関連した任意の数のシステムであって、該任意の数のシステムと前記センサーネットワークが前記プラットフォームの情報を提供するように構成された任意の数のシステムと、
前記プラットフォームに関連したコンピュータシステムであって、該コンピュータシステムが前記センサーネットワーク及び前記任意の数のシステムと通信を行い、又前記センサーネットワーク及び前記プラットフォームに関連する前記任意の数のシステムから前記情報を受信するように構成されており、前記情報を処理して該情報から任意の数の観測結果を形成し、前記複数の観測結果を前記複数の観測結果内での観測結果間の類似性に基づいて任意の数のグループに分類して現在のプロファイルを形成し、該現在のプロファイルを任意の数の既知のプロアイルと対比することによって比較を行い、該比較を使用して前記プラットフォームの健全性状態を識別するコンピュータシステムと
を備えた、システム。
【請求項１６】
前記プラットフォームが航空機である、請求項１５に記載のシステム。
【請求項１７】
プラットフォームを監視する方法であって、
前記プラットフォームの監視から情報を受信するステップであって、前記情報がセンサーネットワークから及び前記プラットフォームに関連する任意の数のシステムから受信されるステップと、
前記情報から複数の観測結果を形成するステップと、
前記プロファイルが前記プラットフォームの監視に使用される前記複数の観測結果からプロファイルを作成するステップと
を含む、方法。
【請求項１８】
前記情報から前記複数の観測結果を形成する前記ステップが、
前記情報中の任意の数の情報の断片を識別するステップと、
前記複数の観測結果を形成するため、前記任意の数の情報の断片中の各情報の断片から一つの観測結果を作成するステップと
を含む、請求項１７に記載の方法。
【請求項１９】
前記プロファイルが現在のプロファイルと既知のプロファイルから選択され、又前記プロファイルを作成する前記ステップが、
前記複数の観測結果中の前記観測結果間の類似性に基づいて任意の数のグループを形成するため、前記複数の観測結果中の観測結果を分類するステップを含む、請求項１７に記載の方法。
【請求項２０】
メタデータを前記情報に関連づけるステップであって、該メタデータが情報の断片に対する少なくとも一つのタイムスタンプと該情報の断片の情報源の識別子を含むステップをさらに含む、請求項１７に記載の方法。
【発明の詳細な説明】
【技術分野】
【０００１】
本開示は概してプラットフォームに関し、より詳細にはプラットフォーム監視の方法及び装置に関する。さらにより詳細には、本開示はプラットフォームシステムとサブシステムの健全性及び機能を監視するための方法ならびに装置に関する。
【背景技術】
【０００２】
プラットフォームは、例えば、限定しないが、可動プラットフォーム、固定プラットフォーム、陸上構造物、水上構造物、宇宙構造物、航空機、潜水艦、バス、人員運搬車、タンク、列車、自動車、宇宙船、宇宙ステーション、衛星、水上艦、及び／又はその他何らかの適切なプラットフォームの形態をとることができる。プラットフォームの信頼度は、プラットフォームの操作及び使用に関して重要である。
【０００３】
例えば、航空機に関しては、航空機の種々のコンポーネントでいつ整備が必要となるかを理解していることが望ましい。整備は整備予定表を使用して実施することができる。これらの整備予定表は、一般的にコンポーネントごとの履歴を用いて作成される。予定表に基づいて整備を行うことにより、航空機使用時の予定外の中断を回避することができる。予定表に基づいて整備を行ったとしても、コンポーネントによっては予定表で示された時期以外に交換又は整備が必要になることがある。その結果、航空機は予定外のときに運航停止となることがある。このような状況では、追加の航空機が必要になること、旅客又は貨物の輸送が遅延することがある。
【０００４】
さらに、プラットフォームの種々のシステムを監視するため健全性監視システムが使用されている。現在の健全性監視システムはコンポーネントを監視し、コンポーネントが所望の性能レベルで動作していないことを指摘する。プラットフォームの監視は、これらの種々のコンポーネント又はコンポーネントに関連するセンサーから情報を収集することによって実施される。現在利用可能な健全性監視システムは、プラットフォームの種々のシステム及びコンポーネントの健全性を評価する際に、使用するセンサーから大量のデータを受信して処理する。
【０００５】
現在利用可能な健全性監視システムは、プラットフォームの健全性を評価するため、特定の種類のデータ、特定のセンサー又は情報源からのデータを使用する。例えば、特定のシステムの健全性は、特定のセンサー一組から収集されたデータから得ることができる。プラットフォームの健全性に関連して利用可能な他のデータは、該システムの健全性の識別には使用されていない。
【０００６】
しかしながら、現在利用可能なシステムは輸送手段の健全性を所望の精度で示すことはできない。精度が所望のレベルを満たしていない場合には、整備頻度が増加することがある。この整備頻度の増加は、整備の問題点の見落とし又は指摘の遅れが原因となることがある。さらに、整備の問題点の指摘の誤りも整備頻度の増加を引き起こすことがある。例えば、輸送手段の動力伝達システムに必要な整備が所望の精度で識別されていない場合には、必要なときに直ちに整備を実施できないことがある。
【０００７】
その結果、動力伝達システムから所望の性能を引き出すため、追加の部品、費用、及び時間が必要となることがある。時宜にかなった動力伝達システムの整備により、例えば、必要となる部品は減少するか、又は部品は不要で潤滑油の交換のみとなることがある。
【０００８】
したがって、上述の問題点の一又は複数に加えて、可能な限り他の問題点に対処する方法及び装置を有することは有利であろう。
【発明の概要】
【０００９】
一つの有利な実施形態では、装置はプラットフォームに関連するセンサーネットワーク、プラットフォームに関連する任意の数のシステム、並びにセンサーネットワーク及び前記任意の数のシステムに接続されたコンピュータシステムを備える。前記センサーネットワークは前記プラットフォームの健全性を監視するように構成されている。前記任意の数のシステム及び前記センサーナットワークは、前記プラットフォームに情報を提供するように構成されている。前記コンピュータシステムは、前記情報を受信し、該情報を処理して該情報から複数の観測結果を形成し、該複数の観測結果から現在のプロファイルを作成するように構成されており、現在のプロファイルの情報は前記プラットフォームの健全性状態を識別するために使用される。
【００１０】
別の有利な実施形態では、プラットフォームの健全性監視システムは、該プラットフォームに関連するセンサーネットワーク、該プラットフォームに関連する任意の数のシステム、及び該プラットフォームに関連するコンピュータシステムを備える。前記任意の数のシステム及び前記センサーネットワークは、前記プラットフォームに情報を提供するように構成されている。前記コンピュータシステムは、前記センサーネットワーク及び前記プラットフォームに関連する前記任意の数のシステムと通信を行っている。前記コンピュータシステムは、前記センサーネットワーク及び前記プラットフォームに関連する前記任意の数のシステムから情報を受信するように構成されている。前記コンピュータシステムは、前記情報を処理して、該情報から複数の観測結果を形成し、該複数の観測結果を観測結果間の類似性に基づいて任意の数のグループに分類して現在のプロファイルを形成し、該現在のプロファイルを任意の数の既知のプロファイルと対比して比較を行い、該比較を用いて前記プラットフォームの健全性状態を識別するように構成されている。
【００１１】
さらに別の有利な実施形態では、プラットフォームを監視するための方法が提示されている。前記プラットフォーム監視の情報は、センサーネットワーク及び前記プラットフォームに関連する任意の数のシステムから受信される。複数の観測結果が前記情報から形成される。プロファイルは、前記プラットフォームを監視するために該プロファイルが使用される、前記複数の観測結果から作成される。
【００１２】
特性、機能、及び利点は、本開示の様々な実施形態で独立に実現することが可能で、以下の説明及び図面を参照してさらなる詳細を理解しうるさらに別の実施形態で組み合わせることもできる。
【図面の簡単な説明】
【００１３】
有利な実施形態の特徴と考えられている新規性のある特性は、添付の請求項に記載されている。しかしながら、有利な実施形態に加えて、好適な使用モード、さらなる目的、及びこれらの利点は、以下に示す本開示の有利な実施形態の詳細な説明を添付の図面と併せて読むときに最もよく理解されるであろう。
【００１４】
【図１】図１は有利な実施形態によるプラットフォームの整備及び保守の方法の図解である。
【図２】図２は有利な実施形態が実施可能な航空機の図解である。
【図３】図３は有利な実施形態による健全性監視環境の図解である。
【図４】図４は有利な実施形態によるデータ処理システムの図解である。
【図５】図５は有利な実施形態による健全性監視システム用コンピュータシステムでの情報の流れの図解である。
【図６】図６は有利な実施形態による複数の観測結果の図解である。
【図７】図７は有利な実施形態によるプラットフォーム監視プロセスのフロー図の図解である。
【図８】図８は有利な実施形態によるプロファイル作成のフロー図の図解である。
【図９】図９は有利な実施形態による観測結果のスコアを作成するフロー図の図解である。
【図１０】図１０は有利な実施形態による既知のプロファイルを作成するプロセスのフロー図である。
【発明を実施するための形態】
【００１５】
より具体的に図面を参照して、本開示の実施形態は、図１に示す航空機の製造及び保守方法１００及び図２に示す航空機２００との関連で説明することができる。まず図１に戻って、航空機の製造及び保守の方法の図解は有利な実施形態により表現されている。製造前の段階では、航空機の製造及び保守方法１００は、図２の航空機２００の仕様及び設計１０２と、材料の調達１０４とを含むことができる。
【００１６】
製造段階では、図２の航空機２００のコンポーネント及びサブアセンブリの製造１０６と、システムインテグレーション１０８とが行われる。その後、図２の航空機２００は認可及び納品１１０を経て運航１１２される。顧客により運航１１２される間に、図２の航空機２００は定期的な整備及び保守１１４（改造、再構成、改修、及びその他の整備又は保守も含みうる）を受ける。
【００１７】
航空機の製造及び保守方法１００の各プロセスは、システムインテグレーター、第三者、及び／又はオペレータによって実施又は実行されうる。このような例では、オペレータは顧客である。本明細書の目的のために、システムインテグレーターは、限定しないが、任意の数の航空機製造者、及び主要システムの下請業者を含むことができ、第三者は、限定しないが、任意の数のベンダー、下請業者、及び供給業者を含むことができ、オペレータは、航空会社、リース会社、軍事団体、サービス機関などでありうる。
【００１８】
ここで図２を参照すると、有利な実施形態を実施可能な航空機が図解されている。この実施例では、航空機２００は、図１の航空機製造及び保守方法１００によって製造されて、複数のシステム２０４と内装２０６とを有する機体２０２を含むことができる。システム２０４の例には、推進システム２０８、電気システム２１０、油圧システム２１２、環境システム２１４、着陸システム２１６、及び電子システム２１８のうちの一又は複数が含まれる。任意の数の他のシステムが含まれてもよい。航空宇宙産業の実施例を示したが、種々の有利な実施形態を、自動車産業などの他の産業に適用することができる。
【００１９】
本明細書に具現化される装置及び方法は、図１の航空機の製造及び保守方法１００の少なくとも一つの段階で採用することができる。本明細書において、「少なくとも一つの」という語句がアイテムのリストと共に使用されるとき、列挙されたアイテムの一又は複数の様々な組み合わせが使用可能であり、且つリスト中のいずれかのアイテムが一つだけあればよいことを意味する。例えば、「アイテムＡ、アイテムＢ、及びアイテムＣのうちの少なくとも一つ」には、例えば、限定しないが、「アイテムＡ」、又は「アイテムＡとアイテムＢ」が含まれる。この例には、「アイテムＡとアイテムＢとアイテムＣ」、又は「アイテムＢとアイテムＣ」も含まれる。
【００２０】
一実施例では、図１のコンポーネント及びサブアセンブリの製造１０６において製造されるコンポーネント又はサブアセンブリは、航空機２００が図１の運航１１２段階にある間に製造されるコンポーネント又はサブアセンブリと同様の方法で作製又は製造することができる。また別の実施例では、任意の数の装置の実施形態、方法の実施形態、又はそれらの組み合わせが、図１のコンポーネント及びサブアセンブリの製造１０６、及びシステムインテグレーション１０８といった製造段階において利用可能である。
【００２１】
アイテムに言及して「任意の数の」というとき、それは、「一又は複数の」アイテムを意味する。例えば、任意の数の装置の実施形態は、一又は複数の装置の実施形態でありうる。任意の数の装置の実施形態、方法の実施形態、又はそれらの組み合わせは、航空機２００が図１に示す運航１１２の段階、及び／又は整備及び保守１１４の段階の間に利用することができる。任意の数の種々の有利な実施形態の使用は、航空機２００の組み付けを実質的に効率化する、及び／又は航空機２００の組み付けコストを削減することができる。
【００２２】
これらの実施例では、健全性監視システムはシステムインテグレーション１０８又は整備及び保守１１４段階で実施することができる。健全性監視システムは、有利な実施形態により、運航１１２の段階、及び／又は整備及び保守１１４の段階の間で使用することができる。
【００２３】
種々の有利な実施形態は、任意の数の検討事項を認識し、考慮に入れている。例えば、種々の有利な実施形態は、現在使用中の健全性監視システムでは、コンポーネントの状況識別に使用されるセンサーデータが多くの場合前記健全性監視システムの設計者によって割り当てられている、ということを認識し、考慮に入れている。
【００２４】
種々の有利な実施形態は、センサーデータのこの種の使用が特定のコンポーネントに影響を及ぼす可能性がある他のデータを考慮しないことがある、ということを認識し、考慮に入れている。例えば、第２システムに接続される第１システムの変化又は振動は、第２システムに影響を及ぼしうる。種々の有利な実施形態は、現在利用可能な健全性監視システムが監視されるシステムに影響を及ぼしうる輸送手段の種々のシステム又は構造のすべてを考慮しない、ということを認識し、考慮に入れている。
【００２５】
種々の有利な実施形態は、各種の分析が追加データを考慮するために使用されうる、ということを認識し、考慮に入れている。例えば、統計学的分析、データ監視、信号処理、ルールベースシステム、ファジー論理、遺伝的アルゴリズム、モンテカルロシミュレーション、及び／又は他の種類のプロセスを使用することができる。しかしながら、これらの種々の潜在的なソリューションは所望の結果をもたらさない。データ監視により、この種のプロセスはプロセッサ資源の観点から多大な時間と費用を要する。
【００２６】
これらの種々のプロセスはまた、プラットフォーム内の種々のシステムの状態識別に関して、所望の精度レベルを提供できないことがある。例えば、統計学的分析では、推定は多くの場合入手できない大量のサンプルに基づいて行われる。さらに、統計学的分析は収集される情報量を削減し、パラメータセットを縮小する。複雑なシステムでは、この種の分析に対して行われる推定及び使用される処理技術では、所望の精度でシステムをモデル化できないことがある。
【００２７】
もう一つの例として、信号処理により、特定のコンポーネントに関する任意の数のセンサーからのデータは信頼できる。これらの値は識別を行うため閾値と対比される。この種の技術は、輸送手段内で発生することがある別の種類の条件を考慮していない。ルールベースシステムでは、輸送手段のコンポーネント間の種々の相互作用は、識別して、考慮に入れることが困難になることがある。
【００２８】
遺伝的アルゴリズムは、輸送手段の健全性を識別するための適切な構成を得るため、所望の時間よりも長い時間を必要とすることがある。モンテカルロシミュレーションは、乱数発生器及び統計学による推定を含んでおり、現実世界の状況を反映しないことがある。
【００２９】
種々の有利な実施形態は、輸送手段の状態をより正確に識別するため十分なデータを考慮するソリューションが望ましい、ということを認識し、考慮に入れている。したがって、種々の有利な実施形態は、プラットフォームの健全性を管理するための方法及び装置を提供する。一つの有利な実施形態では、装置はコンピュータシステム及びセンサーネットワークを備えている。前記センサーネットワークはプラットフォームに関連している。コンピュータシステムは前記センサーネットワークに接続されており、センサーネットワークから情報を受信するように構成されている。前記コンピュータシステムは、現在のプロファイルの情報から観測結果を形成するように構成されている。前記コンピュータシステムは、前記プラットフォームの健全性を識別するため、前記現在のプロファイルを任意の数の既知のプロファイルと対比する。
【００３０】
ここで図３を参照すると、有利な一実施形態による健全性監視環境を図解している。健全性監視環境３００はプラットフォーム３０２を使用して実施されうる。図示のように、プラットフォーム３０２は輸送手段３０４の形態をとる。輸送手段３０４は図２の航空機２００を使用して実施されうる。
【００３１】
図示のように、健全性監視システム３０６はプラットフォーム３０２に関連づけられている。第１コンポーネントは、第２コンポーネントに固定されること、第２コンポーネントに接着されること、第２コンポーネントに締め付けられること、及び／又は他の適切な方法で第２コンポーネントに結合されることによって、第２コンポーネントと関連づけられる。第１コンポーネントは、第３コンポーネントを使用して、第２コンポーネントに結合してもよい。第１コンポーネントは、第２コンポーネントの一部として及び／又は延長として形成することによって、第２コンポーネントと関連づけられているとみなすこともできる。
【００３２】
これらの例では、健全性監視システム３０６はコンピュータシステム３０８及びセンサーネットワーク３１０を備えている。コンピュータシステム３０８は、相互に通信を行うことができる一又は複数のコンピュータを含むことができる。コンピュータシステム３０８は、これらの実施例で任意の数の操作を実施するように構成されている。コンピュータシステム３０８は、プラットフォーム３０２の健全性３１４を監視するため、センサーネットワーク３１０から少なくとも一部の情報３１２を受信する。情報３１２は、プラットフォーム３０２に関連している任意の数のシステム３１６から受信することもできる。
【００３３】
これらの実施例では、センサーネットワーク３１０はネットワーク３２０に接続された任意の数のセンサー３１８を備える。ネットワーク３２０は同様に、これらの実施例ではコンピュータシステム３０８に接続されている。任意の数のセンサー３１８は、情報３１２のセンサーデータ３２２を生成する。任意の数のセンサー３１８の中のセンサーは、物理量を測定し、該測定値を信号に変換する装置である。この信号は、具体的な実施態様に応じて、アナログ信号又はデジタル信号であってもよい。この信号はセンサーデータ３２２の一部を形成する。
【００３４】
任意の数のセンサー３１８は任意の数の異なる種類のセンサーを含むことができる。例えば、限定しないが、任意の数のセンサー３１８は、マイクロフォン、加速度計、二酸化炭素センサー、触媒ビーズセンサー、酸素センサー、電流センサー、電圧センサー、気流センサー、流量センサー、湿度計、粒子検出器、高度計、姿勢制御装置、ヨーレートセンサー、及び／又はその他の適切な種類の装置のうちの少なくとも一つを備えることができる。
【００３５】
幾つかの実施例では、「少なくとも一つの」は、例えば、限定しないが、２個のアイテムＡと１個のアイテムＢと１０個のアイテムＣ、４個のアイテムＢと７個のアイテムＣ、及び／又は他の適切な組み合わせであってもよい。
【００３６】
任意の数のシステム３１６は、例えば、限定しないが、コンピュータ、航空電子工学機器、推進システム、環境システム、油圧システム、整備システム、及び／又は他の適切な種類のシステムを含むことができる。任意の数のシステム３１６は、健全性監視システム３０６によって使用可能なシステム情報３２４を生成する。これらの実施例では、システム情報３２４は、任意の数のセンサー及び任意の数のシステム３１６によって生成されうるデータ、指令、ログ、メッセージ、及び／又は他の適切な種類の情報を含むことができる。
【００３７】
この実施例では、コンピュータシステム３０８は任意の数のプロセス３２６を動作させ、連想メモリ３２８への配置のため情報３１２を処理する。コンピュータシステム３０８は連想メモリ３２８を分析して現在のプロファイル３３４を形成する。例えば、任意の数のプロセス３２６は情報の断片３３２の間の連想３３０を形成して、任意の数のグラフ３３３及び／又は現在のプロファイル３３４を形成することができる。これらの実施例では、現在のプロファイル３３４はプラットフォーム３０２の健全性３１４のためのものである。現在のプロファイル３３４は、コンピュータシステム３０８によって受信した情報の変化に応じて変化することがある。
【００３８】
この図示した例では、現在のプロファイル３３４は連想メモリ３２８の中にある。連想メモリ３２８は、データ構成、データ構造、及び／又はこの例の中の他の種類のメモリの形態をとることができる。さらに、連想メモリ３２８はこの例では物理的なメモリとなることはできない。
【００３９】
情報３１２の処理では、任意の数のプロセス３２６は情報の断片３３２を連想すること、又は情報の断片３３２にメタデータ３３６を追加することができる。メタデータ３３６を使用して、情報の断片３３２の間に連想３３０を作成することができる。これらの実施例では、メタデータ３３６は情報の断片３３２に対する少なくとも一つのタイムスタンプ及び情報の断片３３２の情報源の識別子を有することができる。
【００４０】
次に現在のプロファイル３３４を任意の数の既知のプロファイル３３８と対比することにより、比較３４０を行うことができる。比較３４０を使用してプラットフォーム３０２の健全性状態３４２を識別する。健全性状態３４２はプラットフォーム３０２の健全性３１４を識別する。健全性状態３４２は、任意の数の既知のプロファイル３３８のため、任意の数の健全性状態３４４から選択することができる。これらの実施例では、任意の数の健全性状態３４４は、例えば、限定しないが、新規、動作中、健全、劣化、要修理、修理済み、及び／又はその他の適切な状態を含むことができる。
【００４１】
これらの実施例では、任意の数のプロファイル３３８は、プラットフォーム３０２を使用する任意の数のトレーニングセッションから作成することができる。たとえば、任意の数のトレーニングセッション３４６の中の一つのセッションでは、期間３４８にわたり健全性監視システム３０６によって受信された全ての情報３１２は、任意の数の健全性状態３４４の中の特定の健全性状態として識別することができる。例えば、健全性状態３４２は、期間３４８において「新規」であってもよい。任意の数のプロファイル３３８に対する他のプロファイルは、任意の数のトレーニングセッション３４６中の他の期間に対して生成することができる。
【００４２】
収集される情報３１２の量は、具体的な実施態様に応じて変動することがある。例えば、情報３１２は連続的な方法、一様な方法、非連続的な方法、又は一様でない方法によって収集することができる。情報は任意の分数、時間数、日数、又は他の適切な期間にわたって収集することができる。任意の数のトレーニングセッション３４６は、プラットフォーム３０２の種々の既知の状態に対して実施することができる。任意の数のトレーニングセッション３４６は、任意の数の既知のプラットフォーム３３８がプラットフォーム３０２の種々の健全性状態を正確に反映するように、プラットフォーム３０２に対して具体的に実施することができる。
【００４３】
このように、健全性監視システム３０６は、現在使用されている健全性監視システムと対比して、プラットフォーム３０２の有用性を高めることができる。任意の数の既知のプロファイル３３８に対する現在のプロファイル３３４の比較３４０は、健全性監視システム３０６によって情報の断片が受信されるたびに実行することができる。
【００４４】
さらに別に実施例として、プラットフォーム３０２はこれらの実施例では輸送手段３０４の形態をとるが、プラットフォーム３０２は別の形態をとってもよい。例えば、プラットフォーム３０２は輸送手段３０４のほんの一部であってもよい。例えば、プラットフォーム３０２は推進システム、シャフト、又は輸送手段３０４の他の一部であってもよい。
【００４５】
図３の健全性監視環境３００の図解は、物理的な限定又は構造的な限定を意味するものではなく、種々の有利な実施形態で実施することができる。図示のコンポーネントに加えて、及び／または図示のコンポーネントの代わりに他のコンポーネントを使用してもよい。一部のコンポーネントは、幾つかの有利な実施形態では不要になることがある。また、幾つかの機能的なコンポーネントを図示するために、ブロックが提示されている。このようなブロックの一又は複数は、他の有利な実施形態において実施されるとき、異なるブロックに統合及び／又は分割することができる。
【００４６】
例えば、幾つかの有利な実施形態では、健全性監視システム３０６はセンサーネットワーク３１０からの情報３１２の受信のみが可能で、任意の数のシステム３１６からの情報３１２の受信はできない。さらに他の有利な実施形態では、プラットフォーム３０２の種々の部分を監視するため、複数の健全性監視システムを提示することができる。
【００４７】
ここで図４に戻ると、有利な実施形態によりデータ処理システムの図解が示されている。この実施例では、データ処理システム４００は通信ファブリック４０２を含み、この通信ファブリックは、プロセッサユニット４０４、メモリ４０６、固定記憶域４０８、通信ユニット４１０、入力／出力（Ｉ／Ｏ）ユニット４１２、及びディスプレイ４１４の間の通信を行う。
【００４８】
プロセッサユニット４０４は、メモリ４０６に読み込み可能なソフトウェアに関する命令を実行する。プロセッサユニット４０４は、特定の実施態様に応じて、一又は複数のプロセッサの組、又はマルチプロセッサコアとすることができる。さらに、プロセッサユニット４０４は、単一のチップ上に一次プロセッサと二次プロセッサとが共存する任意の数の異種プロセッサシステムを使用して実装してもよい。別の実施例として、プロセッサユニット４０４は、複数の同種プロセッサを含む対称型のマルチプロセッサシステムであってもよい。
【００４９】
メモリ４０６及び固定記憶域４０８は記憶装置４１６の例である。記憶装置は、例えば、限定しないが、データ、機能的な形態のプログラムコード、及び／又は他の適切な情報などの情報を、一時的及び／又は永続的に保存することができるハードウェアの任意の部分である。メモリ４０６は、これらの実施例では、例えば、ランダムアクセスメモリ、又は他の適切な揮発性又は不揮発性記憶装置であってもよい。
【００５０】
固定記憶域４０８は、特定の実施態様に応じて、様々な形態をとることができる。例えば、固定記憶域４０８は、一又は複数のコンポーネント又は装置を含んでいてもよい。例えば、固定記憶域４０８は、ハードドライブ、フラッシュメモリ、書き換え型光ディスク、書き換え型磁気テープ、又はこれらの任意の組み合わせであってもよい。固定記憶域４０８によって使用される媒体は着脱可能であってもよい。例えば、着脱式ハードドライブは固定記憶域４０８用に使用することができる。
【００５１】
通信ユニット４１０は、これらの実施例では、他のデータ処理システム又は装置と通信を行う。これらの実施例では、通信ユニット４１０はネットワークインターフェースカードである。通信ユニット４１０は、物理的な通信リンク及び無線通信リンクのいずれか一方又は双方を使用して、通信を行うことができる。
【００５２】
入力／出力ユニット４１２は、データ処理システム４００に接続可能な他の装置と、データの入出力を行うことができる。例えば、入力／出力ユニット４１２は、キーボード、マウス、及び／又は他の適切な入力装置を介してユーザー入力に接続することができる。さらに、入力／出力ユニット４１２は、プリンタに出力を送信することができる。ディスプレイ４１４はユーザーに情報を表示する機構を提供する。
【００５３】
オペレーティングシステム、アプリケーション、及び／又はプログラムに対する命令は記憶装置４１６上に配置可能で、この記憶装置は通信ファブリック４０２を介してプロセッサユニット４０４と通信を行う。これらの実施例では、命令は固定記憶域４０８上で機能的な形態をとる。これらの命令は、プロセッサユニット４０４で実行するためメモリ４０６に読み込むことができる。種々の実施形態でのプロセスは、コンピュータに実装された命令を使用するプロセッサユニットによって実行可能であり、これらの命令はメモリ４０６などのメモリに配置することができる。
【００５４】
これらの命令は、プログラムコード、コンピュータで使用可能なプログラムコード、又はコンピュータで読取り可能なプログラムコードとして参照され、プロセッサユニット４０４内のプロセッサにより読込、実行することができる。種々の実施形態でのプログラムコードは、メモリ４０６又は固定記憶域４０８など、コンピュータで読取り可能な各種の物理的又は具体的な媒体上で実施可能である。
【００５５】
プログラムコード４１８は、選択的に着脱可能なコンピュータで読取り可能な媒体上に機能的な形態で配置され、又プロセッサユニット４０４による実行用にデータ処理システム４００に読込み又は転送可能である。プログラムコード４１８及びコンピュータで読取り可能な媒体４２０は、これらの実施例でコンピュータプログラム製品を形成する。一つの実施例では、コンピュータで読取り可能な媒体４２０は例えば、固定記憶域４０８の一部であるハードドライブなどの記憶装置へ転送するため、固定記憶域４０８の一部であるドライブ又は他の装置に挿入又は配置される光ディスク又は磁気ディスクなどの具体的な形態であってもよい。具体的な形態では、コンピュータで読取り可能な媒体４２０はまた、ハードドライブ、サムドライブ、又はデータ処理システムに接続されるフラッシュメモリなどの固定記憶域の形態をとることもできる。コンピュータで読取り可能な媒体４２０の具体的な形態は、コンピュータで記録可能な記憶媒体としても参照される。幾つかの例では、コンピュータで読取り可能な媒体４２０は着脱式でないことがある。
【００５６】
別の態様では、プログラムコード４１８は、通信ユニット４１０への通信リンク及び／又は入力／出力ユニット４１２への接続を介して、コンピュータで読取り可能な媒体４２０からデータ処理システム４００へ転送することができる。通信リンク及び／又は接続は、実施例では物理的なもの又は無線によるものであってよい。コンピュータで読取り可能な媒体はまた、プログラムコードを含む通信リンク又は無線伝送などの無形の媒体の形態をとることもできる。
【００５７】
幾つかの実施形態では、プログラムコード４１８は、データ処理システム４００内で使用するため、他の装置又はデータ処理システムから固定記憶域４０８に、ネットワークを介してダウンロードすることができる。例えば、サーバーデータ処理システム内のコンピュータで読取り可能な記憶媒体に保存されているプログラムコードは、ネットワークを介してサーバーからデータ処理システム４００にダウンロードすることができる。プログラムコード４１８を供給するデータ処理システムは、サーバーコンピュータ、クライアントコンピュータ、又はプログラムコード４１８を保存及び転送することが可能な他の装置であってもよい。
【００５８】
データ処理システム４００用に図解されている他のコンポーネントは、構造的な限定を意味するものではなく、種々の有利な実施形態で実施することができる。種々の実施形態は、データ処理システム４００用に図解されているコンポーネントに対して追加される又は代替となるコンポーネントを含むデータ処理システムで実施することができる。図４に示す他のコンポーネントは、図示した実施例から変更することができる。プログラムコードを実行することができる任意のハードウェア装置又はシステムを使用して、種々の実施形態を実施することができる。一例として、データ処理システムは無機コンポーネントを統合した有機コンポーネントを含むこと、及び／又は人間を除く有機コンポーネントを完全に備えることができる。例えば、記憶装置は有機半導体を含んでいてもよい。
【００５９】
別の例として、データ処理システム４００の記憶装置は、データを保存できる任意のハードウェア装置である。メモリ４０６、固定記憶域４０８、及びコンピュータで読取り可能な媒体４２０は具体的な形態の記憶装置の例である。
【００６０】
別の例では、通信ファブリック４０２を実施するためにバスシステムを使用することができ、システムバス又は入力／出力バスなどの一又は複数のバスを備えることができる。言うまでもなく、前記バスシステムは適切な種類の構造を使用して実施し、異なるコンポーネント間又はバスシステムに結合された装置間でデータを転送することができる。加えて、通信ユニットは、モデム又はネットワークアダプタなど、データの転送及び受信に使用される一又は複数の装置を含むことができる。さらに、メモリは、例えば、通信ファブリック４０２に備えられるインターフェース及びメモリコントローラハブに見られるメモリ４０６又はキャッシュであってもよい。
【００６１】
ここで図５に戻ると、有利な実施形態により健全性監視システム用コンピュータシステムの情報の流れの図解が示されている。この実施例では、コンピュータシステム５００は、図４のデータ処理システム４００を使用して実施される一又は複数のコンピュータを含むことができる。
【００６２】
この実施例では、任意の数のプロセス５０２がコンピュータシステム５００上で動作する。任意の数のプロセス５０２は、少なくとも一つのセンサーデータ５０６及びシステム情報５０８の形態で情報５０４を受信する。任意の数のプロセス５０２は、少なくとも一つのセンサーデータ５０６及びシステム情報５０８を使用して複数の観測結果を形成する。
【００６３】
例えば、任意の数のプロセス５０２は、情報５０４内の情報の断片５１２を識別する。情報の断片５１２内の情報の断片５１４は、情報の断片５１４を受信した時点に応じて識別することができる。情報の断片５１４内のすべての情報は、観測結果５２０用のパラメータ５１８に入れることができる。パラメータ５１８は情報の断片５１４からの情報で満たされた変数である。パラメータ５１８の各パラメータは、値又はテキストを入れることができる変数になりうる。
【００６４】
情報の断片５１４を使用してパラメータ５１８が満たされると、複数の観測結果５１０内の観測結果５２０が形成される。観測結果５２０はメモリ５２２内の複数の観測結果５１０に保存される。
【００６５】
さらに、メタデータ５２４も観測結果５２０に含まれうる。メタデータ５２４は、例えば、限定しないが、タイムスタンプ５２６であってもよい。これらの実施例では、メタデータ５２４はまた連想５２８を含むことができる。連想５２８を使用して、複数の観測結果５１０の間の連想を作成することができる。任意の数のグループ５３０は、複数の観測結果５１０の間の類似性に基づいて相互に関連している複数の観測結果５１０によって形成される。これらの実施例では、複数の観測結果５１０が任意の数のグループに分類されると、現在のプロファイル５３２が形成される。
【００６６】
これらの実施例では、複数の観測結果５１０は、複数の観測結果５１０内の観測結果相互の類似性に基づいて、任意の数のグループ５３０に分類することができる。例えば、観測結果５２０内のパラメータ５１８は、複数の観測結果５１０内の他の観測結果に関する複数のパラメータ５３４と比較することができる。この比較に基づいて、観測結果５２０と複数の観測結果５１０内の他の観測結果との間で類似性５３６を識別することができる。スコア５３９は複数の観測結果５１０内の他の観測結果に割り当てることができる。
【００６７】
したがって、スコア５３９は、観測結果５２０と複数の観測結果５１０内の他の観測結果一つ一つとの間に連想を形成すべきか否かを決定するために、使用することができる。このプロセスは、複数の観測結果５１０内の他の観測結果すべてに対して実行することができる。
【００６８】
現在のプロファイル５３２を使用してプラットフォーム５３８の健全性を判断することができる。例えば、現在のプロファイル５３２を任意の数の既知のプロファイル５４０と比較することができる。これらの実施例では、任意の数の既知のプロファイル５４０内の各プロファイルは、プラットフォームに関する任意の数の健全性状態５４２に対応している。任意の数の既知のプロファイル５４０内のプロファイルとの一致、又は任意の数の既知のプロファイル５４０内のプロファイルとの最も近い一致を使用して、プラットフォームに関する任意の数の健全性状態５４２内の健全性状態５４４を識別することができる。健全性状態５４４はプラットフォームの健全性５３８を示す。
【００６９】
加えて、任意の数のプロセス５０２を実行して、任意の数の既知のプロファイル５４０を作成することができる。例えば、期間５４６の間に受信した情報５０４は、特定の健全性状態にある間のプラットフォームに関するトレーニング情報であってもよい。任意の数のプロセス５０２は、他の既知のプロファイルを識別するため、他の期間に実行してもよい。
【００７０】
さらに、任意の数のプロセス５０２は、任意の数の既知のプロファイル５４０を作成するため、情報５０４の収集期間ではなく、情報５０４の履歴を使用して実行することができる。トレーニング情報５４７はタイムスタンプ５２６を使用して識別することができる。トレーニング情報５４７は過去に収集された情報からなる。幾つかの例では、タイムスタンプ５２６はトレーニング情報５４７に含まれていてもよい。
【００７１】
さらに、整備情報５４８を任意の数の既知のプロファイルの作成に使用することもできる。幾つかの有利な実施形態では、整備情報５４８はトレーニング情報５４７の一部であってもよい。整備情報５４８は任意の数の整備事象に関する情報を含むことができる。例えば、整備情報５４８は、新規コンポーネントが追加されるとき、修理が行われるとき、交換が行われるとき、及び／又は他の適切な情報を示すことができる。この情報は不適切に取り付けられた部品又は誤った部品を識別するときに使用することができる。
【００７２】
さらに、幾つかの有利な実施形態では、コンピュータシステム５００は、整備情報５４８に基づいて複数の観測結果５１０の一部を選択する。コンピュータシステム５００は、任意の数の整備事象及び／又はメタデータを使用して、その部分を選択する。メタデータは情報の断片に対して少なくとも一つのタイムスタンプ及び情報の断片の情報源の識別子を含むことができる。現在のプロファイル５３２は、これらの実施例では複数の観測結果５１０の一部から作成することができる。
【００７３】
具体的な例として、複数の観測結果５１０は、航空機の着陸システムに関する情報５０４に基づいて形成することができる。整備情報５４８は、複数の観測結果５１０の形成中に着陸システムの一部が交換されたこと示すことができる。整備情報５４８及びメタデータ５２４を使用して、部品交換後に形成された複数の観測結果５１０の一部を選択することができる。選択された部分は現在のプロファイル５３２を作成するために使用することができる。
【００７４】
図５のコンピュータシステム５００の図解は、物理的な限定又は構造的な限定を意味するものではなく、種々の有利な実施形態で実施することができる。例えば、幾つかの有利な実施形態では、任意の数のプロファイル５４０はコンピュータシステム５００から遠く離れた位置に配置することができる。もう一つの例として、任意の数のプロセス５０２の中の一つのプロセスは、情報５０４を収集して現在のプロファイル５３２を形成することができる。別のプロセスは複数の観測結果５１０の間の連想５２８を形成して、現在のプロファイル５３２を形成することができる。
【００７５】
ここで図６を参照すると、有利な一実施形態による複数の観測結果を図解している。複数の観測結果６００は、図５の複数の観測結果５１０の一実施態様の例である。複数の観測結果６００は、プラットフォームの健全性監視に関するパラメータを有する。
【００７６】
この実施例では、複数の観測結果６００は、図５の情報５０４などの情報に基づいて形成される観測結果を含むことができる。図示したように、複数の観測結果はグループ６０２、グループ６０４、及びグループ６０６に分類されている。各グループは類似性を有する複数の観測結果６００内の観測結果を含む。
【００７７】
さらにグループ６０２、６０４、及び６０６の各々は健全性状態に対応している。この実施例では、グループ６０２の観測結果は「劣化した」健全性状態に対応している。グループ６０４の観測結果は「要修理の」健全性状態に対応している。幾つかの例では、「要修理」の健全性状態は「不完全な」健全性状態と呼ばれることもある。グループ６０６の観測結果は「修理済み」健全性状態に対応している。幾つかの例では、「修理済み」健全性状態も「健全な」状態と呼ばれることがある。
【００７８】
ここで図７を参照すると、有利な一実施形態によるプラットフォーム監視プロセスのフロー図を図解している。図７のプロセスは、図３の健全性監視環境３００の健全性監視システム３０６で実施することができる。
【００７９】
前記プロセスはプラットフォームの監視から情報を受信することによって開始される（操作７００）。プラットフォームの監視は、プラットフォームに関連するセンサーネットワークから情報を受信することによって実施されうる。この監視はまた、プラットフォーム上の任意の数のシステムから情報を受信することによっても行われることがある。
【００８０】
前記プロセスは次に情報から複数の観測結果を形成する（操作７０２）。これらの観測結果は受信した情報の中の情報の断片を識別することによって形成されうる。観測結果は各情報の断片から作成され、複数の観測結果を形成する。これらの実施例では、情報の断片は、特定の時点又は特定の期間内の情報の断片として識別することができる。情報の断片内の種々の値又はテキストは観測結果に関するパラメータに入力することができる。
【００８１】
前記プロセスは複数の観測結果からプロファイルを作成し、その中で該プロファイルはその後終了するプロセスと共に、プラットフォームの監視（操作７０４）に使用される。プロファイルの作成は任意の数の種々の方法で実施することができる。例えば、プロファイルの形成は、メモリ内に複数の観測結果を配置することによって行われることがある。他の有利な実施形態では、複数の観測結果のグループ化が行われるときに、プロファイルを作成することができる。
【００８２】
プラットフォームの動作中に情報が収集され、プロファイルの健全性状態を識別するため分析される場合には、図７で作成されたプロファイルは現在のプロファイルであってもよい。この健全性状態を使用して、プラットフォームの健全性を示すことができる。他の有利な実施形態では、前記プロファイルはプラットフォームの監視で使用するために作成される既知のプロファイルであってよい。前記プロファイルが既知のプロファイルの場合、情報はまた、整備情報を含むこともできる。
【００８３】
ここで図８を参照すると、有利な一実施形態によるプロファイル作成のフロー図を図解している。図８に示したプロセスは、図３の任意の数のプロセス３２６又は図５の任意の数のプロセス５０２で実施することができる。
【００８４】
前記プロセスは複数の観測結果から未処理の観測結果を選択することによって開始される（操作８００）。前記プロセスは次にスコアとともに観測結果を取得する（操作８０２）。操作８０２では、これらの観測結果は選択された観測結果以外の観測結果である。この実施例では、これらのスコアは選択した観測結果に対する前記観測結果の類似性を識別する。
【００８５】
前記プロセスは、前記観測結果のスコアを選択した観測結果のスコアと対比することによって比較を行う（操作８０４）。比較に基づいて一連の観測結果が選択される（操作８０６）。これらの実施例では、一連の観測結果は、比較が行われた観測結果内の観測結果を一つも含まないこと、一つの観測結果を含むこと、又は任意の数の観測結果を含むことがある。次に、選択された観測結果及び一連の観測結果は、グループを形成するため互いに分類される。
【００８６】
観測結果の中に追加された未処理の観測結果があるか否かに応じて決定が行われる（操作８１０）。追加された未処理の観測結果がある場合には、上述のように前記プロセスは操作８００に戻る。未処理の観測結果がない場合には、前記プロセスは完了した観測結果の処理を一旦終了し、プロファイルが形成される。
【００８７】
ここで図９を参照すると、有利な一実施形態による観測結果のスコアを作成するフロー図を図解している。図９に示したプロセスは、図８の操作８０２の一実施態様の例である。
【００８８】
前記プロセスは観測結果を受信することによって開始される（操作９００）。これらの観測結果は、スコアが望ましい結果になっている観測結果で、選択された観測結果に関しては類似性スコアが好ましい結果になっている。選択された観測結果は、図８の操作８００で選択された未処理の観測結果であってもよい。前記プロセスは、処理を行うために受信した観測結果内で未処理の観測結果を識別する（操作９０２）。選択された観測結果を識別された観測結果と対比することによって比較を行う（操作９０４）。
【００８９】
スコアは比較を利用して選択された観測結果に対して作成されている（操作９０６）。受信した観測結果の中に追加された未処理の観測結果があるか否かに応じて決定が行われる（操作９０８）。追加された未処理の観測結果がある場合には、前記プロセスは操作９０２に戻る。未処理の観測結果がない場合には、前記プロセスは終了する。
【００９０】
ここで図１０に戻ると、有利な実施形態により既知のプロファイルを作成するプロセスのフロー図の図解が示されている。図１０に図解されたプロセスは、図３の健全性監視環境３００で実施することができる。さらに、図３の任意の数のプロセス３２６内で実施することができる。
【００９１】
前記プロセスは、プラットフォームの定義を作成することによって開始される（操作１０００）。このプラットフォームは輸送手段全体、サブシステム、コンポーネント、又は他の適切なプラットフォームの一部であってもよい。プラットフォームの定義は観測結果に関するパラメータを含む。
【００９２】
前記プロセスは次に健全性状態を選択する（操作１００２）。この健全性状態は生成されることになる既知のプロファイル用のものである。前記プロセスは次に情報を受信する（操作１００４）。これらの例では、操作１００４はプラットフォームの操作中に実施される。幾つかの有利な実施形態では、情報はプラットフォームに関して過去に収集された情報の履歴であってもよい。前記プロセスは次に情報を使用して観測結果を作成する（操作１００６）。
【００９３】
追加情報が必要か否かに応じて決定が行われる（操作１００８）。追加情報が必要な場合には、前記プロセスは操作１００４に戻る。追加情報が不要の場合には、前記プロセスは観測結果から既知のプロファイルを作成する（操作１０１０）。次に追加プロファイルがあるか否かに応じて決定が行われる（操作１０１２）。追加プロファイルが生成される場合には、前記プロセスは操作１００２に戻る。追加プロファイルが生成されない場合には、前記プロセスは終了する。
【００９４】
フロー図及びブロック図は種々の実施形態で、構造、機能、並びに機器、方法、及びコンピュータプログラム製品に関する幾つかの可能な実施態様の操作を図解している。これに関連して、フロー図又はブロック図の各ブロックは、コンピュータで使用可能、又読取り可能なプログラムコードのモジュール、セグメント、又は部分を示すことができ、該プログラムコードは特定の一又は複数の機能を実施する一又は複数の実行可能な指令を含む。幾つかの代替的な実施態様では、前記ブロックに記載された一又は複数の機能は図面に記載された順序を逸脱して発生することがある。例えば、ある場合には、含まれる機能に応じて、連続して示されている２個のブロックがほぼ同時に実行されること、又は該ブロックがしばしば逆順に実行されることがある。
【００９５】
例えば、幾つかの有利な実施形態では、操作１００２の健全性状態の選択は、操作１０１０の既知のプロファイルの作成後に実行されることがある。この種類のプロセスにより、既知のプロファイルは該既知のプロファイルが作成された後に健全性状態と関連づけられることがある。さらに、前記既知のプロファイルに関する健全性状態の選択は、トレーニング情報及び／又は整備情報に基づいていてもよい。
【００９６】
したがって、種々の有利な実施形態はプラットフォームの監視に対して方法及び装置を提供する。一つの有利な実施形態では、装置はコンピュータシステム及びセンサーネットワークを含む。センサーネットワークはプラットフォームに関連している。前記コンピュータシステムは前記センサーネットワークに接続され、前記センサーネットワークから情報を受信するように構成されている。前記コンピュータシステムは、現在のプロファイルに関する情報から観測結果を形成するように構成されている。前記コンピュータシステムは、現在のプロファイルを任意の数の既知のプロファイルと対比して、前記プラットフォームの健全性状態を特定する。
【００９７】
種々の有利な実施形態は、全体的にハードウェアの実施形態、全体的にソフトウェアの実施形態、又はハードウェア及びソフトウェアの要素を両方含む実施形態の形態をとることができる。幾つかの実施形態はソフトウェアで実施されるが、該ソフトウェアは例えば、ファームウェア、常駐ソフトウェア、及びマイクロコードなどの形態を含むが、これらに限定されるわけではない。
【００９８】
さらに、種々の実施形態は、指令を実行するコンピュータ又は任意の装置又はシステムを介して又は接続して使用されるプログラムコードを提供する、コンピュータで使用可能な又はコンピュータで読み取り可能な媒体からアクセス可能なコンピュータプログラム製品の形態をとることができる。本開示の目的では、コンピュータで使用可能な又はコンピュータで読み取り可能な媒体は一般的に、指令を実行するシステム、装置又は機器を介して又は接続して使用されるプログラムを収容、保存、通信、伝播、又は転送することができる、任意の有形な装置となる。
【００９９】
コンピュータで使用可能な又はコンピュータで読み取り可能な媒体は、例えば、限定しないが、電子的、磁気的、光学的、電磁的、赤外線式、又は半導体式のシステム、又は伝播媒体とすることができる。コンピュータで読み取り可能な媒体の非限定的な例は、半導体又は固体記憶装置、磁気テープ、着脱式コンピュータディスケット、ランダムアクセスメモリ（ＲＡＭ）、読み出し専用メモリ（ＲＯＭ）、剛体磁気ディスク、及び光ディスクを含む。光ディスクは、コンパクトディスク利用の読み出し専用記憶媒体（ＣＤ−ＲＯＭ）、コンパクトディスク利用の読み書き可能媒体（ＣＲ−Ｒ／Ｗ）、及びＤＶＤを含むことができる。
【０１００】
さらに、コンピュータで使用可能な又はコンピュータで読み取り可能な媒体は、コンピュータで読み取り可能又は使用可能なプログラムコードがコンピュータ上で実行されるとき、このコンピュータで読み取り可能又は使用可能なプログラムコードによって、前記コンピュータが通信リンクを介して他のコンピュータで読み取り可能又は使用可能なプログラムコードを転送できるように、コンピュータで読み取り可能又は使用可能なプログラムコードを収容又は保存することができる。この通信リンクは、例えば、限定しないが、物理的な又は無線の媒体を使用することができる。
【０１０１】
コンピュータで読み取り可能又はコンピュータで使用可能なプログラムコードの保存及び／又は実行に適したデータ処理システムは、システムバスなどの通信ファブリックを介してメモリ要素に直接的に又は間接的に連結される一又は複数のプロセッサを含むことになる。メモリ要素は、プログラムコードの実際の実行中に使用されるローカルメモリ、大容量記憶装置、キャッシュメモリを含むことが可能で、これにより少なくとも幾つかのコンピュータで読み取り可能又はコンピュータで使用可能なプログラムコードの一時的な保存域を提供し、コードの実行中に大容量記憶装置からコードが読み出される回数を低減する。
【０１０２】
入力／出力（Ｉ／Ｏ）装置は、システムに直接連結すること、又は介在するＩ／Ｏ制御装置を介して連結することができる。これらの装置は、例えば、限定しないが、キーボード、タッチスクリーンディスプレイ、及びポインティングデバイスを含むことができる。種々の通信アダプタは前記システムに連結することも可能で、介在するプライベートネットワーク又は公衆ネットワークを介して、データ処理システムを他のデータ処理システム、リモートプリンタ、又は記憶装置に連結することができる。非限定的な例はモデム及びネットワークアダプタで、これらは数少ない現在利用可能な種類の通信アダプタである。
【０１０３】
種々の有利な実施形態の説明は、図解と説明を目的して提示されているものであり、網羅的であること又は開示されている態様の実施形態を網羅することを意図していない。当業者には多くの修正及び変更が明らかであろう。さらに、種々の有利な実施形態は、他の有利な実施形態と比較して種々の利点を提供することができる。選択された一又は複数の実施形態は、実施形態の原理、実際の用途を最もよく説明するため、及び他の当業者に対して、様々な実施形態の開示と、考慮される特定の用途に適した様々な修正との理解を促すために選択及び記述されている。
【図１】
2013507611.tif 000003
【図２】
2013507611.tif 000004
【図３】
2013507611.tif 000005
【図４】
2013507611.tif 000006
【図５】
2013507611.tif 000007
【図６】
2013507611.tif 000008
【図７】
2013507611.tif 000009
【図８】
2013507611.tif 000010
【図９】
2013507611.tif 000011
【図１０】
2013507611.tif 000012
【国際調査報告】
2013507611.tif 000013
2013507611.tif 000014
2013507611.tif 000015